(57)【要約】      （修正有）【課題】対向車に対しグレア光とならない適正なオーバーヘッド配光が付加することで、視認性に優れたすれ違いビームを形成できる車両用前照灯を提供する。【解決手段】投射レンズ18，シェード，ＬＥＤモジュール50およびリフレクタ16を備えた投射型光源ユニットが灯室内に収容された車両用前照灯で、ＬＥＤモジュール50、ＬＥＤチップ54を覆う透光性の球状カバー部材56におけるリフレクター非対応領域58に、カバー部材56から透過光を拡散させる微細な凹凸57を設け、カバー部材56から出射した拡散光（光束密度の低い光）をサブリフレクタ40a,b,cにより、グレア光とならないオーバーヘッド配光とすることで、すれ違いビームの視認性を高める。【選択図】図４
2009117279.tif 000002
【特許請求の範囲】
【請求項１】
投射レンズ，カットオフライン形成用のシェード，光源であるＬＥＤおよび前記ＬＥＤの発光を反射して前記投射レンズの後方焦点近傍に集光するように導くリフレクタを備えた投射型光源ユニットが灯室内に収容された車両用前照灯において、
前記ＬＥＤは、基板上に配置されたＬＥＤチップが透光性の球状カバー部材で覆われたＬＥＤモジュールとして構成されるとともに、前記投射型光源ユニットの光軸とほぼ直交する方向にその照射中心軸を向けて配置され、
前記カバー部材における前記リフレクター非対応領域（前記リフレクター対応領域以外の領域）に、該カバー部材透過光を拡散させる微細な凹凸が設けられるとともに、
前記投射型光源ユニットは、前記カバー部材から出射した拡散光を灯具前方にオーバーヘッド配光として導く光学部材を備えたことを特徴とする車両用前照灯。
【請求項２】
前記カバー部材は、樹脂モールド中実体またはガラス球中空体で構成され、樹脂モールド中実体の場合はその外表面に、ガラス球中空体の場合はその内表面または外表面（内表面または外表面の少なくともいずれか一方）に前記微細な凹凸が設けられたことを特徴とする車両用前照灯。
【発明の詳細な説明】
【技術分野】
【０００１】
本願発明は、投射レンズ，カットオフライン形成用シェード，光源である発光素子および前記発光素子の発光を前方に反射するリフレクタを備えた投射型光源ユニットが灯室内に収容された車両用前照灯に係り、特に、発光素子の発光のうちリフレクタ以外に向かう光をオーバーヘッド配光として有効に活用する車両用前照灯に関する。なお、オーバーヘッド配光とは、車両前方上方の道路標識や看板等の視認性を上げるために、すれ違いビーム用配光パターンのカットオフラインの上方の一部を照明する光束密度の低い配光をいい、ランプ配光規格においてその光度が定められている。
【背景技術】
【０００２】
この種の車両用前照灯の従来技術としては、例えば「特許文献１」があり、「特許文献１」の図１３には、「投射レンズ，発光素子および発光素子の発光を投射レンズの後方焦点に収束するように反射するリフレクタを備えた走行ビーム用の投射型光源ユニットにおいて、リフレクターの前縁を前方に延出させて形成したサブ反射面と、投射レンズの後方焦点近傍に設けた上向きサブ反射面を使って、発光素子の発光を２回反射させて投射レンズに導くことで、リフレクターと投射レンズによって形成される走行ビーム用配光パターンに、左右外方に大きく拡散された配光パターンを付加する灯具構造」が開示されている。
【０００３】
また、「特許文献２」の図８，９，１０には、「投射レンズ，カットオフライン形成用シェード，発光素子およびリフレクタを一体的に形成した透光部材を備えた前照灯で、リフレクターと投射レンズ間の外周面にサブリフレクターを設けて、サブリフレクターでの反射光が投射レンズの外周領域から前方に出射するように構成することで、カットオフライン形成用シェードに対応するカットオフラインをもつすれ違いビーム用配光パターンに、該配光パターンの主に中央部領域を照明する小配光パターンを付加する灯具構造」が開示されている。
【０００４】
【特許文献１】特開２００３−３１７５１３号公報
【特許文献２】特開２００４−２４１３４９号公報
【発明の開示】
【発明が解決しようとする課題】
【０００５】
しかし、上記「特許文献１、２」に記載されている灯具構造におけるいずれの付加配光パターンも、すれ違いビーム用配光パターンのオーバーヘッド配光としては光束密度が高すぎ（明るすぎ）て対向車へのグレア光となるため、すれ違いビーム用の前照灯としては利用できない。
【０００６】
そこで、発明者は、発光素子の発光のうち、すれ違いビーム用配光パターンの形成に直接寄与する光（リフレクターに向かう光）の光束密度はこのままにして、オーバーヘッド配光パターンの形成に寄与する光（サブ反射面やサブリフレクターに向かう光）の光束密度だけを低くしてやれば、対向車へのグレア光とならないため、すれ違いビーム用の前照灯として利用できるのではないかと考えた。
【０００７】
そして、発光素子であるＬＥＤに注目した。ＬＥＤは、基板上に配置された発光体であるＬＥＤチップが透光性の樹脂モールド体またはガラス球で覆われたＬＥＤモジュールとして構成されているので、「樹脂モールド体やガラス球の外表面の所定領域に微細な凹凸を形成して、この凹凸形成領域から出射する拡散光（光束密度が低い光）がサブ反射面やサブリフレクターに向かうようにすればよい」と考えて、試作したところ、有効であることが確認されたので、この度の出願に至ったものである。
【０００８】
本願発明は、このような事情に鑑みてなされたものであって、その目的は、対向車に対しグレア光とならない適正なオーバーヘッド配光が付加されることで、車両前方の視認性に優れたすれ違いビームを形成できる車両用灯具を提供することにある。
【課題を解決するための手段】
【０００９】
前記目的を達成するために、請求項１に係る車両用灯具においては、投射レンズ，カットオフライン形成用のシェード，光源であるＬＥＤおよび前記ＬＥＤの発光を反射して前記投射レンズの後方焦点近傍に集光するように導くリフレクタを備えた投射型光源ユニットが灯室内に収容された車両用前照灯において、
前記ＬＥＤを、基板上に配置したＬＥＤチップを透光性の球状カバー部材で覆ったＬＥＤモジュールとして構成するとともに、前記投射型光源ユニットの光軸とほぼ直交する方向にその照射中心軸を向けて配置し、
前記カバー部材における前記リフレクター非対応領域（前記リフレクター対応領域以外の領域）に、該カバー部材透過光を拡散させる微細な凹凸を設けるとともに、
前記投射型光源ユニットは、前記カバー部材から出射した拡散光を灯具前方にオーバーヘッド配光として導く光学部材を備えるように構成した。
【００１０】
(作用) ＬＥＤチップの発光のうち、カバー部材を透過してリフレクターに向かう光は、リフレクターで反射されて投射レンズの後方焦点近傍に集光するように導かれ、投射レンズがその後方焦点を含む焦点面上の像を反転像として灯具前方の仮想鉛直スクリーン上に投影するので、投射型光源ユニットにより、カットオフライン形成用のシェード先端部に対応する所定のカットオフラインをもつすれ違いビーム用の配光パターンが形成される。一方、ＬＥＤチップの発光のうち、カバー部材を透過してリフレクター以外の領域に向かう光は、カバー部材に設けられている微細な凹凸を透過する際に拡散光となってカバー部材から出射し、その光路上の所定位置（リフレクターで反射された光が投射レンズに向かう光路と干渉しない所定位置）に設けられている光学部材によって、灯具前方の水平線より上方の広範囲な領域に導かれるオーバーヘッド配光パターンを形成する。すれ違いビーム用の配光としてオーバーヘッド配光が付加される分、車両前方における視認性が良好となるが、オーバーヘッド配光は微細な凹凸により形成された光束密度の非常に低い拡散光のため、対向車にグレアとして作用するおそれはない。
また、カバー部材から出射した拡散光を灯具前方に導く光学部材としては、投射レンズとリフレクター間の外周に設けるリフレクター（実施例１，２参照）や、投射レンズの外周に設けるフレネルレンズ (実施例３参照)が考えられる。
【００１１】
請求項２に係る車両用灯具においては、請求項１に記載の車両用灯具において、前記カバー部材を、ガラス球中空体または樹脂モールド中実体で構成し、ガラス球中空体の場合はその内表面または外表面（内表面または外表面の少なくともいずれか一方）に、樹脂モールド中実体の場合はその外表面に、前記微細な凹凸を設けるように構成した。
【００１２】
(作用) カバー部材としては、ガラス球中空体で構成する場合と、樹脂モールド中実体で構成する場合とが考えられる。ガラス球中空体で構成したカバー部材では、その内表面または外表面（内表面または外表面の少なくともいずれか一方）に微細な凹凸が設けられており、ＬＥＤチップの発光がカバー部材内表面の微細な凹凸に入射する際、またはＬＥＤチップの発光がカバー部材外表面の微細な凹凸から出射する際に拡散光となる。また、樹脂モールド中実体で構成したカバー部材では、その外表面に微細な凹凸が設けられており、ＬＥＤチップの発光がカバー部材外表面の微細な凹凸から出射する際に拡散光となる。なお、カバー部材（ガラス球中空体または樹脂モールド中実体）に微細な凹凸を形成する方法としては、例えば、エッチング処理がある。
【００１３】
なお、樹脂モールド中実体で構成したカバー部材では、所定の大きさをもつ発光体であるＬＥＤチップの発光がカバー部材を透過する際に屈折するため、それだけリフレクターによる配光制御（リフレクターの反射面の設計）が難しいが、ガラス球中空体（薄厚のガラス球）で構成したカバー部材では、カバー部材を透過する際の屈折の影響が少ないので、リフレクターによる配光制御（リフレクターの反射面の設計）が容易である。
【発明の効果】
【００１４】
請求項１によれば、所定のカットオフラインをもつすれ違いビーム用の配光パターンに光束密度の非常に低い拡散光による広範囲のオーバーヘッド配光パターンが付加されたすれ違いビーム用の配光が形成されるので、車両前方における視認性が良好となるとともに、対向車にグレアとして作用することもない。即ち、ＬＥＤジュールを構成するカバー部材に微細な凹凸を直接設けるという簡単な構成で、車両前方における視認性を低下させることなく、グレア光を抑制できる。
【００１５】
請求項２によれば、特に、ガラス球中空体（薄厚のガラス球）で構成したカバー部材では、リフレクターによる配光制御（リフレクターの反射面の設計）が容易であるので、鮮明なカットオフラインをもつすれ違いビームを形成できる。
【発明を実施するための最良の形態】
【００１６】
次に、本発明の実施の形態を実施例に基づいて説明する。
【００１７】
図１〜図６は、本発明の一実施例に係る自動車用前照灯を示し、図１は自動車用前照灯の正面図、図２は同前照灯の縦断面図（図１に示す線ＩＩ−ＩＩに沿う断面図）、図３は第３の投射型光源ユニットの拡大縦断面図、図４はＬＥＤモジュールの拡大断面図、図５（ａ），（ｂ），（ｃ）は第１，第２，第３の投射型光源ユニットのそれぞれの配光パターンを示す正面図、図６は前照灯（投射型光源ユニット集合体）の配光パターンを示す正面図、図６は前照灯（投射型光源ユニット集合体）の配光パターンを示す正面図である。
【００１８】
図１，２において、自動車用前照灯１は、容器状のランプボディ２と透明な前面カバー４によって画成された灯室Ｓ内に、３個の投射型光源ユニット１０Ａ，１０Ｂ，１０Ｃをランプブラケット１２に一体化した光源ユニット集合体１０が収容された構造で、光源ユニット集合体１０は、ランプブラケット１２とランプボディ２との間に介装されたエイミング機構でもあるオートレベリング機構Ｅによって、上下方向に傾動可能に支持されている。
【００１９】
即ち、オートレベリング機構Ｅは、ランプボディ２の背面壁に設けた前後挿通孔に回転可能に支承された左右一対のエイミングスクリュー２１ａ、２１ｂと、各エイミングスクリュー２１ａ、２１ｂに螺合する形態でランプブラケット１２に取着されたエイミングナット２２ａ、２２ｂと、ランプボディ２の背面壁内側であって、エイミングスクリュー２１ａの真下位置に取着され、エイミングスクリュー２１ａ、２１ｂと平行に延出する回転駆動軸２１ｃを備えたアクチュエータ３０と、回転駆動軸２１ｃの先端ねじ部に螺合する形態でランプブラケット１２に取着されたエイミングナット２２ｃで構成されており、アクチュエータ３０の駆動（回転駆動軸２１ｃの回動操作）によって、光源ユニット集合体１０（ランプブラケット１２）がレベリング軸（ナット２２ａ、２２ｂを通る軸）Ｌｘ回りに傾動可能に構成されている。そして、アクチュエータ３０は、例えば自動車の重心位置の前後方向への移動を検出する重心位置検出センサ（図示せず）からの信号に基づいて、回転駆動軸２１ｃを回動させてエイミングナット２２ｃを回転駆動軸２１ｃに沿って進退動作させ、レベリング軸Ｌｘ周りに前照灯１（光源ユニと集合体１０）を傾動させて、常に前照灯１（光源ユニット集合体１０）の光軸を走行路面に対し一定の形態に保つようになっている。
【００２０】
また、エイミングスクリュー２１ｂは、前照灯１の光軸を鉛直傾動軸（エイミングナット２２ａ，２２ｃを通る軸）Ｌｙ周りに傾動調整する左右エイミングスクリューとして機能し、エイミングスクリュー２１ａおよびエイミングスクリュー２１ｂは、前照灯１の光軸をエイミングナット２２ｃを通る仮想水平傾動軸周りに傾動調整する上下エイミングスクリューとしても機能することから、オートレベリング機構Ｅは、エイミング機構としても作用する。
【００２１】
光源ユニット集合体１０は、アルミニウムなどの熱伝導率の高い正面視略矩形状の金属製ランプブラケット１２の前面側に第１，第２，第３の３個の投射型光源ユニット１０Ａ，１０Ｂ，１０Ｃが並列に一体化されている。各投射型光源ユニット１０Ａ，１０Ｂ，１０Ｃは、ブラケット１２前面側に突出する矩形状突出部１３の上面に取着された光源である発光素子１４ａ，１４ｂ，１４ｃ、発光素子１４ａ，１４ｂ，１４ｃを覆うように前方突出部１３上に取着された樹脂製のリフレクター１６ａ，１６ｂ，１６ｃ、前方突出部１３の先端部にねじ１３ａにより取着された樹脂製のカットオフライン形成用シェード１７、シェード１７の前方延出部１７ａの先端に取着された樹脂製の投射凸レンズ１８、および凸レンズ１８とリフレクター１６ａ，１６ｂ，１６ｃ間に配置されたオーバーヘッド配光形成用のサブリフレクター４０ａ，４０ｂ，４０ｃでそれぞれ構成されている。符号１２ａは、ランプブラケット１２の前面側および背面側の所定位置に設けられた放熱フィンである。
【００２２】
各投射型光源ユニット１０Ａ，１０Ｂ，１０Ｃは、図２，３に示すように、前後に延びる光軸Ｌａ，Ｌｂ，Ｌｃを有し、シェード１７は、投射レンズ１８の後方焦点Ｆ近傍にその上部前端縁部が位置するようにほぼ水平に前方に延出し、シェード１７の上部前端縁部の上面には上向き反射面１７ｂが形成されている。
【００２３】
光軸Ｌａ，Ｌｂ，Ｌｃ上に配置された投射凸レンズ１８は、その後方焦点Ｆを含む焦点面上の像を反転像として前照灯前方の仮想鉛直スクリーン上に投影する。
【００２４】
リフレクタ１６ａ，１６ｂ，１６ｃの反射面１６ａ１，１６ｂ１，１６ｃ１は、光軸Ｌａ，Ｌｂ，Ｌｃと同軸の長軸を有するとともに発光素子１４ａ，１４ｂ，１４ｃの発光中心を第１焦点とする略楕円面状の曲面で構成されている。その際、この反射面１６ａ１，１６ｂ１，１６ｃ１は、その光軸Ｌａ，Ｌｂ，Ｌｃに沿った鉛直断面形状がレンズの後方焦点Ｆのやや前方に位置する点Ａを第２焦点とする楕円形状に設定されており、その離心率が鉛直断面から水平断面へ向けて徐々に大きくなるように設定されている。これにより、リフレクタ１６ａ，１６ｂ，１６ｃは、発光素子１４ａ，１４ｂ，１４ｃからの光を、鉛直断面内においては点Ａに収束させるとともに、水平断面内においてはその収束位置をかなり前方へ移動させるようになっている。
【００２５】
樹脂製のシェード１７のアルミニウム蒸着処理された上向き反射面１７ｂの前端縁は、レンズ１８の後方焦点Ｆを含む焦点面に沿って延びている。これにより、図２，３の符号Ｌ１７ｂに示すように、リフレクタ１６ａ，１６ｂ，１６ｃで反射してＡ点に向かう光の一部が、この上向き反射面１７ｂで上向きに反射して投射レンズ１８に入射し、投射レンズ１８
から下向き光として出射する。
【００２６】
また、リフレクター１６ａ，１６ｂ，１６ｃと投射凸レンズ１８間にそれぞれ設けられているサブリフレクター４０ａ，４０ｂ，４０ｃは、発光素子１４ａ，１４ｂ，１４ｃの発光がリフレクター１６ａ，１６ｂ，１６ｃで反射されて投射レンズ１８に向かう光を遮光しないように、リフレクター１６ａ，１６ｂ，１６ｃの前縁部１６ａ１，１６ｂ１，１６ｃ１に沿って設けられるとともに、投射凸レンズ１８の周縁部には、サブリフレクター４０ａ，４０ｂ，４０ｃに対応するスリット１９が設けられている。そして、サブリフレクター４０ａ，４０ｂ，４０ｃで反射された発光素子１４ａ，１４ｂ，１４ｃの発光は、投射凸レンズ１８の周縁スリット１９から図２，４符号Ｌ４０ａ（Ｌ４０ｂ，Ｌ４０ｃ）に示すように、前方に配光されるようになっている。
【００２７】
また、発光素子１４ａ（１４ｂ，１４ｃ）は、図４に拡大して示すように、積層回路基板５１上に、導電路パターン５２によって形成された一対の電極５３，５３が露出し、電極５３，５３間に跨って０．３〜３ｍｍ四方程度の大きさの正方形のＬＥＤチップ５４が配置されるとともに、半球状のガラス製透明カバー部材（カバー部材の厚さ約０．５〜１ｍｍ）５６がＬＥＤチップ５４を覆うように取着一体化された白色ＬＥＤモジュール５０として構成されている。
【００２８】
そして、ＬＥＤモジュール５０は、各投射型光源ユニット１０Ａ，１０Ｂ，１０Ｃの光軸Ｌａ，Ｌｂ，Ｌｃとほぼ直交する上向きにその照射中心軸Ｌ５０を向けて配置されるとともに、カバー部材５６外表面における、リフレクター１６ａ，１６ｂ，１６ｃの前縁部外周縁４０ａ１（４０ｂ１，４０ｃ１）と投射凸レンズ１８外周縁４０ａ２（４０ｂ２，４０ｃ２）間に対応する領域（サブリフレクター４０ａ，４０ｂ，４０ｃに対応する領域）には、カバー部材５６から出射する光を拡散させる微細な凹凸５７が設けられている。カバー部材５６に微細な凹凸５７を形成するには、カバー部材５６の外周面所定領域を例えばエッチング処理することで、簡単に形成できる。
【００２９】
次に、各投射型光源ユニット１０Ａ，１０Ｂ，１０Ｃの形成する配光パターンについて説明する。
【００３０】
ＬＥＤチップ５４の発光のうち、カバー部材５６を透過してリフレクター１６ａ，１６ｂ，１６ｃに向かう光は、リフレクター１６ａ，１６ｂ，１６ｃで反射されて投射レンズ１８の後方焦点近傍のＡ点に集光するように導かれ、投射凸レンズ１８がその後方焦点Ｆを含む焦点面上の像を反転像として灯具前方の仮想鉛直スクリーン上に投影するとともに、上向き反射面１７ｂの反射光Ｌ１７ｂが投射レンズ１８を介して前方に配光されることで、カットオフライン形成用のシェード前縁に対応する鮮明な所定のカットオフラインをもつすれ違いビーム用の配光パターン（図５の符号Ｐｓａ，Ｐｓｂ，Ｐｓｃ参照）を形成する。一方、ＬＥＤチップ５４の発光のうち、カバー部材５６を透過してサブリフレクター４０ａ，４０ｂ，４０ｃに向かう光は、サブリフレクター４０ａ，４０ｂ，４０ｃで反射され、投射凸レンズ１８のスリット１９から前方に配光されることで、それぞれの配光パターンＰｓａ，Ｐｓｂ，Ｐｓｃのカットオフラインに沿った帯状の所定の領域を照明するオーバーヘッド配光パターン（図５の符号Ｐｏｈａ，Ｐｏｈｂ，Ｐｏｈｃ参照）を形成するが、ＬＥＤチップ５４の発光は、カバー部材５６に設けられている微細な凹凸５７を透過する際に拡散光となってサブリフレクター４０ａ，４０ｂ，４０ｃに導かれるので、サブリフレクター４０ａ，４０ｂ，４０ｃによって形成される拡散光であるオーバーヘッド配光は、対向車に対しグレア光となるほどの強さはない。
【００３１】
以上の構成の投射型光源ユニット１０Ａを点灯させると、２５ｍ前方の仮想スクリーンには、図５（ａ）に示すように、スクリーンの中央部付近を照明する、水平線Ｈ―Ｈに略一致する所定のカットオフラインＣＬｓａをもつすれ違いビーム用の配光パターＰｓａと、カットオフラインＣＬｓａに沿った所定幅のオーバーヘッド配光パターンＰｏｈａとが合成された配光パターンが形成される。
【００３２】
第２，第３の投射型光源ユニット１０Ｂ，１０Ｃも、シェード１７の前縁部の形状，リフレクター１６ｂ，１６ｃの反射面１６ｂ１，１６ｃ１の形状，およびサブリフレクター４０ｂ，４０ｃの形状が第１の投射型光源ユニット１０Ａとそれぞれと僅かに異なることで、第２の投射型光源ユニット１０Ｂでは、図５（ｂ）に示すように、スクリーンの中央部付近から左右にある程度拡がった領域を照明する所定のカットオフラインＣＬｓｂをもつすれ違いビーム用の配光パターＰｓｂと、カットオフラインＣＬｓｂに沿った所定幅のオーバーヘッド配光パターンＰｏｈｂとが合成された配光パターンが形成される。
【００３３】
また、第３の投射型光源ユニット１０Ｃでは、図５（ｃ）に示すように、スクリーンの中央部付近から左右に大きく拡がった領域を照明する所定のカットオフラインＣＬｓｃをもつすれ違いビーム用の配光パターＰｓｃと、カットオフラインＣＬｓｃに沿った所定幅のオーバーヘッド配光パターンＰｏｈｃとが合成された配光パターンが形成される。
【００３４】
このように、光源ユニット１０Ａは、図５（ａ）に示す小拡散配光パターンを形成する集光用投射型光源ユニットとして構成され、光源ユニット１０Ｂは、図５（ｂ）に示す中拡散配光パターンを形成する中拡散用投射型光源ユニットとして構成され、光源ユニット１０Ｃは、図５（ｃ）に示す大拡散配光パターンを形成する大拡散用投射型光源ユニットとして構成されている。
【００３５】
そして、光源ユニット１０Ａ，１０Ｂ，１０Ｃを一体化した光源ユニット集合体１０（を備えた前照灯）としては、図５（ａ）〜（ｃ）の小・中・大の拡散配光パターンが合成された、図６に示す、すれ違いビーム用配光パターンＰＳが形成される。このすれ違いビーム用配光パターンＰＳは、オーバーヘッド配光パターンＰｏｈが付加される分、前方の視認性に優れるとともに、オーバーヘッド配光パターンＰｏｈは光束密度の低い拡散光で構成されているので、対向車にグレア光となるおそれもない。
【００３６】
図７は、本発明の第２の実施例である自動車用前照灯の要部である投射型光源ユニットの縦断面図である。
【００３７】
前記した第１の実施例では、ＬＥＤモジュール５０のカバー部材５６の微細な凹凸５７形成面から出射する拡散光をサブリフレクター４０ａ（４０ｂ，４０ｃ）で反射して、投射凸レンズ１８のスリット１９から灯具前方に配光するように構成されていたが、この第２の実施例では、ＬＥＤモジュール５０のカバー部材５６の微細な凹凸５７形成面から出射する拡散光をサブリフレクター４２ａ（４２ｂ，４２ｃ）で下向きに反射し、シェード１７の延出部１７ａに設けた開口１７ｃを通過させてシェード１７下方に導き、シェード１７の下部に設けた第２のサブリフレクター４３ａ（４３ｂ，４３ｃで反射して灯具前方に配光するように構成されている。
【００３８】
その他の構成は、前記第１の実施例と同様であり、同一の符号を付すことで、その重複した説明は省略する。
【００３９】
図８は、本発明の第３の実施例である自動車用前照灯の要部である投射型光源ユニットの縦断面図である。
【００４０】
前記した第１，第２の実施例では、ＬＥＤモジュール５０のカバー部材５６の微細な凹凸５７形成面から出射する拡散光をサブリフレクター４０ａ（４０ｂ，４０ｃ）や、第１，第２のサブリフレクター４２ａ（４２ｂ，４２ｃ）、４３ａ（４３ｂ，４３ｃ）で反射して、灯具前方に配光するように構成されていたが、この第３の実施例では、投射凸レンズ１８の外周に配置した、円弧状に延在するフレネルレンズ４４によって、ＬＥＤモジュール５０のカバー部材５６の微細な凹凸５７形成面から出射する拡散光を灯具前方に直接配光するように構成されている。
【００４１】
その他の構成は、前記第１の実施例と同様であり、同一の符号を付すことで、その重複した説明は省略する。
【００４２】
なお、前記した実施例では、微細な凹凸５７が球状カバー部材５６の外表面に設けられていたが、外表面に限るものではなく、球状カバー部材５６の内表面、あるいは内外両表面に微細な凹凸５７を設けてもよい。
【００４３】
また、前記した第１の実施例では、カバー部材５６外表面の微細な凹凸５７は、カバー部材５６外表面における、リフレクター１６ａ，１６ｂ，１６ｃの前縁部外周縁４０ａ１（４０ｂ１，４０ｃ１）と投射凸レンズ１８外周縁４０ａ２（４０ｂ２，４０ｃ２）間に対応する領域（サブリフレクター４０ａ，４０ｂ，４０ｃに対応する領域）だけに設けられていたが、カバー部材５６外表面におけるリフレクター１６ａ（１６ｂ，１６ｃ）に対応する領域以外の領域（図４の符号５８で示すリフレクター非対応領域）全体に設けるようにしてもよい。
【００４４】
また、前記したように、微細な凹凸５７は、例えばエッチング処理により形成されるが、エッチング処理面積が小さいほど、処理が容易であるが、リフレクター非対応領域５８（カバー部材５６の外表面におけるリフレクター１６ａ，１６ｂ，１６ｃに対応する領域以外の領域）全体に微細な凹凸５７を設けた場合には、カバー部材５６からリフレクター非対応領域５８（リフレクター１６ａ，１６ｂ，１６ｃ以外の領域）に向かう全ての光が拡散光となることで、予期せぬグレア光の発生が確実に回避される。
【００４５】
また、前記した実施例では、カバー部材５６をガラス製として説明したが、合成樹脂製であってもよい。また、カバー部材５６は中空体ではなく、ＬＥＤチップを一体成形した樹脂モールド中実体で構成してもよい。そして、カバー部材がＬＥＤチップ５４を一体成形した樹脂モールド中実体で構成される場合は、カバー部材（樹脂モールド中実体）の外表面側だけに微細な凹凸を設けることができる。
【図面の簡単な説明】
【００４６】
【図１】本発明の第１の実施例である自動車用前照灯の正面図である。
【図２】同前照灯の縦断面図（図１に示す線ＩＩ−ＩＩに沿う断面図）である。
【図３】第３の投射型光源ユニットの拡大縦断面図である。
【図４】ＬＥＤモジュールの拡大断面図である。
【図５】（ａ），（ｂ），（ｃ）は第１，第２，第３の投射型光源ユニットのそれぞれの配光パターンを示す正面図である。
【図６】前照灯（投射型光源ユニット集合体）の配光パターンを示す正面図である。
【図７】本発明の第２の実施例である自動車用前照灯の要部である投射型光源ユニットの縦断面図で、オーバーヘッド配光の光路を示す図である。
【図８】本発明の第３の実施例である自動車用前照灯の要部である投射型光源ユニットの縦断面図で、オーバーヘッド配光の光路を示す図である。
【符号の説明】
【００４７】
Ｓ  灯室
１０  投射型光源ユニット集合体
１０Ａ  第１の投射型光源ユニットである集光用投射型光源ユニット
１０Ｂ  第２の投射型光源ユニットである中拡散用投射型光源ユニット
１０Ｃ  第３の投射型光源ユニットである大拡散用投射型光源ユニット
ＰＳ  投射型光源ユニット集合体のすれ違いビーム用配光パターン
Ｐｓａ  すれ違いビーム用小拡散配光パターン
Ｐｓｂ  すれ違いビーム用中拡散配光パターン
Ｐｓｃ  すれ違いビーム用大拡散配光パターン
ＣＬｓａ，ＣＬｓｂ，ＣＬｓｃ  カットオフライン
Ｐｏｈ  オーバーヘッド配光パターン
Ｐｏｈａ  オーバーヘッド配光パターン
Ｐｏｈｂ  オーバーヘッド配光パターン
Ｐｏｈｃ  オーバーヘッド配光パターン
１２  ランプブラケット
１７    カットオフライン形成用シェード
１７ｂ  上向き反射面
１８  投射凸レンズ
Ｌａ  第１の投射型光源ユニットの光軸
Ｌｂ  第２の投射型光源ユニットの光軸
Ｌｃ  第３の投射型光源ユニットの光軸
Ｅ  レベリング機構（エイミング機構）
Ｌｘ  レベリング軸
２１ａ，２１ｂ  エイミングスクリュー
３０  レベリング用アクチュエータ
２１ｃ  レベリング用アクチュエータの回転駆動軸
Ａ  収束点
Ｆ  投射凸レンズの後方焦点
５０  ＬＥＤモジュール
Ｌ５０  ＬＥＤモジュールの照射中心軸
５１  回路基板
５４  ＬＥＤチップ
５６  カバー部材
５７  カバー部材外周面に設けた微細な凹凸
５８  カバー部材におけるリフレクター非対応領域（リフレクター対応領域以外の領域）
４０ａ，４０ｂ，４０ｃ  オーバーヘッド配光形成用の光学部材であるサブリフレクター
４２ａ，４２ｂ，４２ｃ  オーバーヘッド配光形成用の光学部材である第１のサブリフレクター
４３ａ，４３ｂ，４３ｃ  オーバーヘッド配光形成用の光学部材である第２のサブリフレクター
４４ａ，４４４ｂ，４４ｃ  オーバーヘッド配光形成用の光学部材であるフレネルレンズ
【図１】
2009117279.tif 000003
【図２】
2009117279.tif 000004
【図３】
2009117279.tif 000005
【図４】
2009117279.tif 000006
【図５】
2009117279.tif 000007
【図６】
2009117279.tif 000008
【図７】
2009117279.tif 000009
【図８】
2009117279.tif 000010